【手続補正書】
【提出日】平成15年10月30日(2003.10.30)
【手続補正１】
【補正対象書類名】特許請求の範囲
【補正対象項目名】全文
【補正方法】変更
【補正の内容】
【特許請求の範囲】
【請求項１】
複数の、重ねられ導電結合されたエネルギ経路であって、少なくとも第１の重ねられたエネルギ経路、第２の重ねられたエネルギ経路、及び、第３の重ねられたエネルギ経路を含む前記複数のエネルギ経路と、
実質的に同様な大きさと形状の、少なくとも第１と第２のエネルギ経路と
を備え、
前記第１のエネルギ経路は、前記第１と前記第２の重ねられたエネルギ経路によって少なくとも部分的にシールドされて挟まれ、前記第２のエネルギ経路は、前記第２と前記第３の重ねられたエネルギ経路によって少なくとも部分的にシールドされて挟まれ、
前記第１と前記第２のエネルギ経路は、各々少なくとも対応する対面領域を有し、前記対面領域の各々は、第１の表面領域を含み、前記第１と前記第２のエネルギ経路は、各々少なくとも対応する非対面領域を有し、前記非対面領域の各々は第２の表面領域を含み、
前記第１の表面領域のそれぞれは、前記第２の表面領域のそれぞれに比例するエネルギ経路構成。
【請求項２】
前記第１または前記第２のエネルギ経路は、各々、前記複数の重ねられたエネルギ経路のうち任意の１つよりも小さい請求項１に記載のエネルギ経路構成。
【請求項３】
第１の複数の導電結合され重ねられたエネルギ経路と、
第２の複数の導電結合され重ねられたエネルギ経路と、
第３の複数の導電結合され重ねられたエネルギ経路と
を備え、
前記第１、前記第２及び前記第３の複数の重ねられたエネルギ経路のそれぞれは、互いから導電的に分離され、
前記第２と前記第３の複数の重ねられたエネルギ経路のうち、各重ねられたエネルギ経路は、実質的に共通の大きさと形状であり、
前記第１の複数の重ねられたエネルギ経路のうち任意の１つの重ねられたエネルギ経路は、前記第２または前記第３の複数の重ねられたエネルギ経路のうち任意の１つの重ねられたエネルギ経路よりも大きく、
前記第１の複数の重ねられたエネルギ経路のうち少なくとも１つの重ねられたエネルギ経路は、前記第２または前記第３の複数の重ねられたエネルギ経路からの少なくとも１つの重ねられたエネルギ経路を、前記第２または前記第３の複数の重ねられたエネルギ経路のうち他のエネルギ経路から少なくとも部分的にシールドし、
前記第１の複数の重ねられたエネルギ経路の数は奇数であり、
前記第２と前記第３の複数の重ねられたエネルギ経路の数は、合計で偶数であるエネルギ経路構成。
【請求項４】
前記エネルギ経路構成は、コモンモードノイズと差分モードノイズのうち少なくとも１つをフィルタリングする請求項１乃至３のいずれかに記載のエネルギ経路構成。
【請求項５】
前記エネルギ経路構成は、スタックされたエネルギ経路構成である請求項１乃至４のいずれかに記載のエネルギ経路構成。
【請求項６】
前記エネルギ経路構成は、支持を提供し、及び、前記エネルギ経路のうち少なくとも１つを、前記重ねられたエネルギ経路のうち少なくとも他の１つから実質的に分離するための支持材
をさらに備える請求項１乃至４のいずれかに記載のエネルギ経路構成。
【請求項７】
前記第１、前記第２及び前記第３の複数の重ねられたエネルギ経路のうち少なくとも１つの複数の重ねられたエネルギ経路を、前記第１、前記第２及び前記第３の複数の重ねられたエネルギ経路のうち少なくとも他の１つの複数の重ねられたエネルギ経路から実質的に分離するための支持材
をさらに備える請求項３に記載のエネルギ経路構成。
【請求項８】
前記エネルギ経路構成は、絶縁材、半絶縁材、誘電材、導電材、強磁性材、フェライト材、シェール材、金属酸化物材、バリスタ材、化学的にドープされた材料、半導電材、またはこれらの組み合わせからなる材料のグループから選択された少なくとも１つの材料をさらに含む請求項１乃至４のいずれかに記載のエネルギ経路構成。
【請求項９】
少なくとも前記第１と第２のエネルギ経路を支持するための複数の誘電材部分をさらに備える請求項２に記載のエネルギ経路構成。
【請求項１０】
前記支持材は、樹脂材を含む請求項７に記載のエネルギ経路構成。
【請求項１１】
前記支持材は、フェライト材を含む請求項７に記載のエネルギ経路構成。
【請求項１２】
前記支持材は、誘電材を含む請求項７に記載のエネルギ経路構成。
【請求項１３】
前記エネルギ経路構成は、３０分間に少なくとも摂氏１５度温度が上昇する請求項１０に記載のエネルギ経路構成。
【請求項１４】
前記エネルギ経路構成のうち任意の１つのエネルギ経路は、フォトリソグラフィ加工される請求項１０に記載のエネルギ経路構成。
【請求項１５】
前記第２の複数の重ねられたエネルギ経路と前記第３の複数の重ねられたエネルギ経路は、相対的に実質的に対称的で、方向が相対する請求項３に記載のエネルギ経路構成。
【請求項１６】
前記第１のエネルギ経路と前記第２のエネルギ経路は、少なくとも第１の電極と第２の電極である請求項２に記載のエネルギ経路構成。
【請求項１７】
前記複数の重ねられたエネルギ経路のうち任意の１つの重ねられたエネルギ経路は、シールディング電極である請求項１６に記載のエネルギ経路構成。
【請求項１８】
前記第１のエネルギ経路と前記第２のエネルギ経路は、少なくとも第１の電極と第２の電極である請求項９に記載のエネルギ経路構成。
【請求項１９】
請求項１、または、２、７、９、１０、１１、１２、１５、１６、１７、１８のうちいずれかに記載のエネルギ経路構成であって、容量性ネットワークの一部として動作可能な前記エネルギ経路構成。
【請求項２０】
請求項１、または、２、７、９、１０、１１、１２、１５、１６、１７、１８のうちいずれかに記載のエネルギ経路構成であって、分圧器として動作可能な前記エネルギ経路構成。
【請求項２１】
請求項１、または、２、７、９、１０、１１、１２、１５、１６、１７、１８のうちいずれかに記載のエネルギ経路構成であって、エネルギコンディショナとして動作可能な前記エネルギ経路構成。
【請求項２２】
請求項１、または、２、７、９、１０、１１、１２、１５、１６、１７、１８のうちいずれかに記載のエネルギ経路構成であって、キャパシタとして動作可能な前記エネルギ経路構成。
【請求項２３】
エネルギソースと、
エネルギ使用負荷と
をさらに備え、
前記第１、前記第２及び前記第３の複数の重ねられたエネルギ経路は、共通電圧基準に対応して、エネルギソースとエネルギ使用負荷の間の電圧バランスを維持する請求項７に記載のエネルギ経路構成。
【請求項２４】
少なくとも１つの導電材部分によって前記第１の複数の重ねられたエネルギ経路に導電結合される中立的な導電体と、
少なくとも別の導電材部分によって前記第２の複数の重ねられたエネルギ経路に導電結合される正の導電体と、
少なくとも１つの他の導電材部分によって前記第３の複数の重ねられたエネルギ経路に導電結合される負の導電体と
をさらに備える請求項２３に記載のエネルギ経路構成。
【請求項２５】
前記少なくとも１つの他の導電材部分は、前記少なくとも１つの別の導電材部分と重ならない請求項２４に記載のエネルギ経路構成。
【請求項２６】
前記少なくとも１つの導電材部分は、前記少なくとも１つの別の導電材部分と重ならない請求項２４に記載のエネルギ経路構成。
【請求項２７】
前記少なくとも１つの導電材部分は、前記少なくとも１つの他の導電材部分と重ならない請求項２４に記載のエネルギ経路構成。
【請求項２８】
前記エネルギ経路構成は、少なくとも２つの外側のシールディングエネルギ経路をさらに備える請求項１乃至４のいずれかに記載のエネルギ経路構成。
【請求項２９】
少なくとも前記第１の電極と少なくとも前記第２の電極は、少なくとも第１と少なくとも第２の分割電極を備える請求項１６に記載のエネルギ経路構成。
【請求項３０】
請求項１、または、２、７、９、１０、１１、１２、１５、１６、１７、１８、２３、２４、２９のいずれかに記載のエネルギ経路構成であって、バイパスキャパシタとして動作可能な前記エネルギ経路構成。
【請求項３１】
実質的に等しい大きさと形状の導電結合された第１の複数のエネルギ経路であって、前記第１の複数の各々は前記第１の複数の他の各々と並列である前記第１の複数のエネルギ経路と、
実質的に等しい大きさと形状の導電結合された第２の複数のエネルギ経路であって、前記第２の複数の各々は前記第２の複数の他の各々と並列である前記第２の複数のエネルギ経路と、
実質的に等しい大きさと形状の導電結合された第３の複数のエネルギ経路であって、前記第３の複数の各々は前記第３の複数の他の各々と重なり、かつ、並列である、前記第３の複数のエネルギ経路と
を備え、
前記第１の複数のエネルギ経路のうち少なくとも１つは、前記第３のエネルギ経路のうち少なくとも１つと少なくとも部分的に重ならず、及び、前記第１の複数のエネルギ経路のうち少なくとも１つと前記第３の複数のエネルギ経路のうち少なくとも１つとが重ならないことを補償するために、前記第２の複数のエネルギ経路のうち少なくとも１つは前記第３の複数のエネルギ経路のうち少なくとも１つと相補的に部分的に重ならないエネルギ経路構成。
【請求項３２】
前記第１の複数のエネルギ経路のうち少なくとも１つの部分的に重ならないエネルギ経路を除く前記第１の複数のエネルギ経路の残りは、前記第３の複数のエネルギ経路と実質的に重ねられる請求項３１に記載のエネルギ経路構成。
【請求項３３】
前記部分的に重ならない領域は、シフトした領域を含む請求項３１に記載にエネルギ経路構成。
【請求項３４】
第１の複数の、導電結合され重ねられた電気的に導電的な第１のプレートと、
第２の複数の、導電結合され重ねられた電気的に導電的な第２のプレートと、
第３の複数の、導電結合され重ねられた電気的に導電的な第３のプレートと
を備え、
複数の前記第１のプレート、複数の前記第２のプレート、複数の前記第３のプレートの各々は、他の２つの複数のプレートから導電的に分離され、
前記第２のプレートの全部は、互いに概ね（generally、略、大体、一般に）同じ大きさと形状を有し、
前記第３のプレートの全部は、互いに概ね同じ大きさと形状を有し、
前記第１のプレートのうち１つの断面積は、前記第２のプレートと前記第３のプレートのうち任意の１つの断面積より広く、
前記第１のプレートのうち１つは、前記第２のプレートと前記第３のプレートのうち１つを少なくとも部分的にシールドし、
（１）複数の重ねられた電気的に導電的な前記第１のプレートの導電プレートの数は奇数であるか、および／または、
（２）複数の重ねられた電気的に導電的な前記第２及び第３のプレートの導電プレートの数の合計は偶数であるかのいずれかであるエネルギ経路構成。
【請求項３５】
エネルギ経路構成を形成する（making、作る、作成する、得る）方法であって：
第１の複数の、導電結合され重ねられた電気的に導電的な第１のプレートを供給するステップと、
第２の複数の、導電結合され重ねられた電気的に導電的な第２のプレートを供給するステップと、
第３の複数の、導電結合され重ねられた電気的に導電的な第３のプレートを供給するステップと
を含み、
複数の前記第１のプレート、複数の前記第２のプレート、複数の前記第３のプレートの各々は、他の２つの複数のプレートから導電的に分離され、
前記第２のプレートの全部は、互いに概ね同じ大きさと形状を有し、
前記第３のプレートの全部は、互いに概ね同じ大きさと形状を有し、
前記第１のプレートのうち１つの断面積は、前記第２のプレートと前記第３のプレートのうち任意の１つの断面積より広く、
前記第１のプレートのうち１つは、前記第２のプレートと前記第３のプレートのうち１つを少なくとも部分的にシールドし、
（１）複数の重ねられた電気的に導電的な前記第１のプレートの導電プレートの数は奇数であるか、および／または、
（２）複数の重ねられた電気的に導電的な前記第２及び第３のプレートの導電プレートの数の合計は偶数であるかのいずれかである前記方法。
【請求項３６】
エネルギ経路構成を使用する方法であって、前記エネルギ経路構成は、
第１の複数の、導電結合され重ねられた電気的に導電的な第１のプレートと、
第２の複数の、導電結合され重ねられた電気的に導電的な第２のプレートと、
第３の複数の、導電結合され重ねられた電気的に導電的な第３のプレートと
を備え、
複数の前記第１のプレート、複数の前記第２のプレート、複数の前記第３のプレートの各々は、他の２つの複数のプレートから導電的に分離され、
前記第２のプレートの全部は、互いに概ね同じ大きさと形状を有し、
前記第３のプレートの全部は、互いに概ね同じ大きさと形状を有し、
前記第１のプレートのうち１つの断面積は、前記第２のプレートと前記第３のプレートのうち任意の１つの断面積より広く、
前記第１のプレートのうち１つは、前記第２のプレートと前記第３のプレートのうち１つを少なくとも部分的にシールドし、
（１）複数の重ねられた電気的に導電的な前記第１のプレートの導電プレートの数は奇数であるか、および／または、
（２）複数の重ねられた電気的に導電的な前記第２及び第３のプレートの導電プレートの数の合計は偶数であるかのいずれかである前記方法。